(57)【特許請求の範囲】
【請求項１】
複数の無線通信システムと、当該複数の無線通信システムのいずれかと選択的に接続可能な無線通信端末とからなる統合無線通信システムにおいて、
上記無線通信端末は、
現在接続中の第１の上記無線通信システムから、新たに接続を希望する第２の上記無線通信システムに接続を切り換えるシステム間ハンドオーバー時において、上記第２の無線通信システムに参入するために必要なシステム参入情報を、上記第１の無線通信システムを介して上記第２の無線通信システムと交信するシステム参入情報交信手段と、
それぞれ異なる上記無線通信システムに対応する複数の無線通信プログラムを記憶した無線通信プログラム記憶手段と、
少なくとも上記第１の無線通信システム及び上記第２の無線通信システムにそれぞれ対応する上記無線通信プログラムをロードするプログラムメモリと、
上記プログラムメモリにロードされた上記無線通信プログラムを実行することにより、対応する上記無線通信システムに応じた無線通信処理を行うディジタルシグナルプロセッサと
を具え、
上記第１の無線通信システムは、
上記無線通信端末から送信された上記システム参入情報を上記第２の無線通信システムに転送するとともに、上記第２の無線通信システムから送信された上記システム参入情報を上記無線通信端末に転送するシステム参入情報転送手段
を具え、
上記無線通信端末及び上記第２の無線通信システムは、上記第１の無線通信システムを介して交信したシステム参入情報に基づいて、当該第２の無線通信システムに対する当該無線通信端末の接続処理を実行し、
上記無線通信端末は、上記システム間ハンドオーバー時において、上記ディジタルシグナルプロセッサのプログラム開始アドレスを変更することにより、実行する上記無線通信プログラムを切り換える
ことを特徴とする統合無線通信システム。
【請求項２】
上記第１及び第２の無線通信システムは、当該第１又は第２の無線通信システムを介して接続されている
ことを特徴とする請求項１に記載の統合無線通信システム。
【請求項３】
上記システム参入情報には、少なくとも上記無線通信端末の識別ＩＤ、上記無線通信端末の通信能力、上記第２の無線通信システムに参入後の使用チャンネル、上記無線通信端末が用いる暗号鍵のいずれかが含まれる
ことを特徴とする請求項１に記載の統合無線通信システム。
【請求項４】
上記システム参入情報には、上記第２の無線通信システムのトラヒック状況が含まれる
ことを特徴とする請求項１に記載の統合無線通信システム。
【請求項５】
上記無線通信端末は、上記システム参入情報を介して、接続後の上記第２の無線通信システムの使用帯域を予約する
ことを特徴とする請求項１に記載の統合無線通信システム。
【請求項６】
複数の無線通信システムと、当該複数の無線通信システムのいずれかと選択的に接続可能な無線通信端末とからなる統合無線通信システムにおける、上記無線通信端末の接続を第１の上記無線通信システムから第２の上記無線通信システムに切り換えるシステム間ハンドオーバー方法において、
上記第２の無線通信システムに対するシステム間ハンドオーバー要求を、上記無線通信端末から上記第１の無線通信システムに送信するハンドオーバー要求送信ステップと、
上記無線通信端末から上記第１の無線通信システムに送信された上記ハンドオーバー要求を、上記第２の無線通信システムに転送するハンドオーバー要求転送ステップと、
上記ハンドオーバー要求に応じて、上記第２の無線通信システムに参入するための上記無線通信端末に対するアソシエーション情報を、上記第２の無線通信システムから上記第１の無線通信システムに送信するアソシエーション情報送信ステップと、
上記第２の無線通信システムから上記第１の無線通信システムに送信された上記アソシエーション情報を、上記無線通信端末に転送するアソシエーション情報転送ステップと、
上記無線通信端末に設けられ少なくとも上記第１の無線通信システム及び上記第２の無線通信システムにそれぞれ対応する上記無線通信プログラムがロードされたプログラムメモリにおける、プログラム開始アドレスを変更することにより、実行する上記無線通信プログラムを上記第２の無線通信システムに切り換えるプログラム切換ステップと、
上記アソシエーション情報に基づいて、上記第２の無線通信システムに対する上記無線通信端末の接続を行う接続ステップと
を具えることを特徴とするシステム間ハンドオーバー方法。
【請求項７】
複数の無線通信システムのいずれかと選択的に接続可能な無線通信端末において、
現在接続中の第１の上記無線通信システムから、新たに接続を希望する第２の上記無線通信システムに接続を切り換えるシステム間ハンドオーバー時において、上記第２の無線通信システムに参入するために必要なシステム参入情報を、上記第１の無線通信システムを介して上記第２の無線通信システムと交信するシステム参入情報交信手段と、
それぞれ異なる上記無線通信システムに対応する複数の無線通信プログラムを記憶した無線通信プログラム記憶手段と、
少なくとも上記第１の無線通信システム及び上記第２の無線通信システムにそれぞれ対応する上記無線通信プログラムをロードするプログラムメモリと、
上記プログラムメモリにロードされた上記無線通信プログラムを実行することにより、対応する上記無線通信システムに応じた無線通信処理を行うディジタルシグナルプロセッサと
を具え、
上記システム間ハンドオーバー時において、上記ディジタルシグナルプロセッサのプログラム開始アドレスを変更することにより、実行する上記無線通信プログラムを切り換える
ことを特徴とする無線通信端末。
【請求項８】
上記ディジタルシグナルプロセッサが実行する上記無線通信プログラムの切り換え時に、上記無線通信端末が有する送受信アンプの増幅動作を停止する
ことを特徴とする請求項７に記載の無線通信端末。
【請求項９】
上記無線通信プログラム格納手段に格納された複数の上記無線通信プログラムを交互に実行することにより、上記複数の無線通信システムに対する同時待受受信時を行う
ことを特徴とする請求項７に記載の無線通信端末。
【発明の詳細な説明】
【０００１】
【発明の属する技術分野】
本発明は統合無線通信システム、システム間ハンドオーバー方法及び無線通信端末に関し、複数の無線通信システムを統合した統合無線通信システムに適用して好適なものである。
【０００２】
【従来の技術】
現在、広いサービスエリアを有する携帯電話システム等の広域無線通信システムと、ピコセルと呼ばれる数十ｍ範囲をカバーする無線ＬＡＮシステムとを組み合わせた統合通信システムが検討されている。無線ＬＡＮシステムは高速かつ通信コストが低廉であるもののサービスエリアが限られ、一方広域無線通信システムはサービスエリアは広いものの無線ＬＡＮに比べて通信速度が遅く通信コストが高いため、状況に応じて双方の通信システムを選択的に使用できれば、無線通信サービスの利便性をより向上することができると考えられる。
【０００３】
一方、このような複数の通信システムに接続可能な無線端末として、通信システムに応じた変復調や多重化等の各種通信処理をＤＳＰ（Digital Signal Processor）で処理するようになされたソフトウェア無線端末が考えられている。かかるソフトウェア無線端末においては、ＤＳＰで実行する無線通信プログラムを変更するだけで様々な通信システムに対応することができるという利点を有している。
【０００４】
【発明が解決しようとする課題】
上述したような統合通信システムにおいて、無線端末が第１の通信システムから第２の通信システムに接続を切り換える（以下、これをシステム間ハンドオーバーと呼ぶ）場合、まず第１の通信システムとの通信を切断した後、第２の通信システムとの間でシステム参入手順（以下、これをアソシエーションと呼ぶ）を実行する必要がある。そして当該アソシエーションの完了後、第２の通信システムとの間で通信を開始する。
【０００５】
このようにシステム間ハンドオーバーにおいては、新たに接続するシステムに対するアソシエーションの実行中は通信が中断するという問題があった。特に、音声通話中にシステム間ハンドオーバーを実行すると通話が途切れてしまい、サービスの品質が低下するという問題があった。
【０００６】
また、上述したソフトウェア無線端末を用いてシステム間ハンドオーバーを行う場合、まず第１の通信システムとの通信切断後に第１の通信プログラムを終了し、第２の通信プログラムをロード及び実行した後、第２の通信システムとの間のアソシエーションを実行する必要があり、さらに通信中断が長くなるという問題があった。
【０００７】
本発明は以上の点を考慮してなされたもので、迅速なシステム間ハンドオーバーを行い得る統合無線通信システム、システム間ハンドオーバー方法及び無線通信端末を提案しようとするものである。
【０００８】
【課題を解決するための手段】
かかる課題を解決するため本発明においては、複数の無線通信システムと、当該複数の無線通信システムのいずれかと選択的に接続可能な無線通信端末とからなる統合無線通信システムであって、無線通信端末は、現在接続中の第１の上記無線通信システムから、新たに接続を希望する第２の上記無線通信システムに接続を切り換えるシステム間ハンドオーバー時において、第２の無線通信システムに参入するために必要なシステム参入情報を第１の無線通信システムを介して第２の無線通信システムと交信するシステム参入情報交信手段と、それぞれ異なる無線通信システムに対応する複数の無線通信プログラムを記憶した無線通信プログラム記憶手段と、少なくとも第１の無線通信システム及び第２の無線通信システムにそれぞれ対応する無線通信プログラムをロードするプログラムメモリと、プログラムメモリに格納された無線通信プログラムを実行することにより、対応する無線通信システムに応じた無線通信処理を行うディジタルシグナルプロセッサとを備え、第１の無線通信システムは、無線通信端末から送信されたシステム参入情報を第２の無線通信システムに転送するとともに、第２の無線通信システムから送信されたシステム参入情報を無線通信端末に転送するシステム参入情報転送手段を備え、無線通信端末及び第２の無線通信システムは第１の無線通信システムを介して交信したシステム参入情報に基づいて、当該第２の無線通信システムに対する当該無線通信端末の接続処理を実行し、無線通信端末はシステム間ハンドオーバー時において、ディジタルシグナルプロセッサのプログラム開始アドレスを変更することにより実行する無線通信プログラムを切り換えるようにした。
【０００９】
第２の無線通信システムに参入するために必要なシステム参入情報を、第１の無線通信システムを介して第２の無線通信システムと交信することにより、実際に第２の無線通信システムと接続する以前に先行して接続処理を実行することができ、これにより迅速にシステム間ハンドオーバーを行うことができるとともに、システム間ハンドオーバー時において、ディジタルシグナルプロセッサのプログラム開始アドレスを変更することで実行する無線通信プログラムを切り換えるようにしたことにより、通信プログラムの切り換え時間を短縮して迅速にシステム間ハンドオーバーを行うことができる。
【００１１】
【発明の実施の形態】
以下図面について、本発明の一実施の形態を詳述する。
【００１２】
（１）統合無線通信システムの全体構成
図１において、１は全体として本発明を適用した統合無線通信システムを示し、数十ｍ範囲の無線ＬＡＮサービスエリアＳＡ１を有する無線ＬＡＮシステムＷＳ１と、公衆携帯電話システムでなり無線ＬＡＮサービスエリアＳＡ１よりも広い範囲の広域無線サービスエリアＳＡ２を有する広域無線システムＷＳ２と、携帯通信端末ＭＴとで構成される。無線ＬＡＮサービスエリアＳＡ１は、広域無線サービスエリアＳＡ２の内部に配置されている。
【００１３】
携帯通信端末ＭＴは、無線ＬＡＮシステムＷＳ１の無線ＬＡＮ基地局ＡＰ１又は広域無線システムＷＳ２の広域無線基地局ＡＰ２のいずれか一方に選択的に接続し得るようになされている。また、無線ＬＡＮシステムＷＳ１の無線ＬＡＮ基地局ＡＰ１及び広域無線システムＷＳ２の広域無線基地局ＡＰ２はインターネット４に接続されているとともに、広域無線基地局ＡＰ２は公衆回線網（図示せず）に接続されている。
【００１４】
これによりこの統合無線通信システム１においては、携帯通信端末ＭＴは無線ＬＡＮ基地局ＡＰ１又は広域無線基地局ＡＰ２を介し、他の携帯通信端末ＭＴや公衆回線網に接続された電話機、あるいはインターネット４に接続されたコンピュータやサーバ等の情報処理装置との間で、音声通信やデータ通信等の各種通信を行い得るようになされている。
【００１５】
さらにこの統合無線通信システム１においては、携帯通信端末ＭＴ、無線ＬＡＮ基地局ＡＰ１及び広域無線基地局ＡＰ２が後述するハンドオーバー処理を実行することにより、無線ＬＡＮシステムＷＳ１及び広域無線システムＷＳ２間で携帯通信端末ＭＴのシステム間ハンドオーバーをスムーズに行い得るようになされている。
【００１６】
また携帯通信端末ＭＴは、対応する複数の無線通信システムに対して同時に待ち受け受信を行う、複数システム待受を行い得るようになされている。
【００１７】
（２）携帯無線端末の構成
次に、携帯無線端末ＭＴの回路構成を図２を用いて説明する。実際上、携帯無線端末ＭＴにおいては、当該携帯無線端末ＭＴの各種機能を統括的に制御するＣＰＵ（Central Processing Unit ）１０に対して、当該ＣＰＵ１０のワークエリアとして用いられるＲＡＭ（Random Access Memory）１２、当該ＣＰＵ１０が実行する各種プログラム等を記憶したＲＯＭ（Read Only Memory）１３、操作部１４、表示部１５、マイクロホン１６、スピーカ１７及び送受信部２０がバス１１を介して接続されている。そして携帯無線端末ＭＴのＣＰＵ１０は、通信制御プログラムに従い、操作部１４を介して入力された各種処理命令に応じて送受信部２０を制御することにより、各種通信処理を実行する。
【００１８】
ここで送受信部２０は、通信用ＤＳＰ（Digital Signal Processor）２１と、プログラムＲＯＭ２２と、プロトコルプロセッサ２３と、ＲＦ／ＩＦ（Radio Frequency/Intermediate Frequency）部２４とで構成される。
【００１９】
プロトコルプロセッサ２３は、バス１１を介して供給される音声や映像等の各種送信データをパケット化し、送信ＦＩＦＯ（First In first out）３３を介して、通信用ＤＳＰ２１のＤＳＰコアプロセッサ３０に供給する。
【００２０】
プログラムＲＯＭ２２には、ＤＳＰコアプロセッサ３０が実行する、各種無線通信システムに対応した複数の無線通信プログラムが格納されている。ＤＳＰコアプロセッサ３０はＣＰＵ１０の制御に応じ、プログラムＲＯＭ２２から無線通信プログラムを適宜読み出してプログラムメモリ３１に格納し、当該読み出した無線通信プログラムを実行することにより、各種無線通信システムに対応した無線通信処理を行い得るようになされている。なおプログラムメモリ３１は、無線通信プログラムを複数個格納し得るだけの記憶容量を有している。
【００２１】
すなわちＤＳＰコアプロセッサ３０は、プログラムメモリ３１内の無線通信プログラムに従い、送信ＦＩＦＯ３３から供給される送信データに対し無線通信システムに対応した変調処理等を施して送信信号を生成し、ＲＦ／ＩＦ部２４に供給する。なお、ＤＳＰコアプロセッサ３０にはＤＳＰ周辺回路３２が接続されており、無線通信処理の一部を当該ＤＳＰ周辺回路３２で実行することにより、ＤＳＰコアプロセッサ３０の処理負荷を軽減するようになされている。
【００２２】
ＲＦ／ＩＦ部２４は送信信号を周波数変換及び増幅し、アンテナ１８を介して送信する。またＲＦ／ＩＦ部２４は、アンテナ１８を介して受信した受信信号を周波数変換及び増幅しＤＳＰコアプロセッサ３０に供給する。このときＲＦ／ＩＦ制御部３４はＤＳＰコアプロセッサ３０の制御下で、ＲＦ／ＩＦ部２４の送信信号出力等を制御する。
【００２３】
ＤＳＰコアプロセッサ３０はプログラムメモリ３１内の通信プログラムに従い、受信信号に対し無線通信システムに対応した復調処理等を施して受信データを生成し、受信ＦＩＦＯ３５及びプロトコルプロセッサ２３を介してバス１１に出力する。そしてＣＰＵ１０は受信データを適宜処理し、表示部１５やスピーカ１７を介して出力する。
【００２４】
かくして携帯無線端末ＭＴは、無線通信システムに対応する無線通信プログラムをプログラムＲＯＭ２２から読み出して実行することにより、単一の送受信部２０で複数の無線通信システムに対応し得るようになされている。
【００２５】
（３）無線ＬＡＮ基地局及び広域無線基地局の構成
次に、無線ＬＡＮ基地局ＡＰ１及び広域無線基地局ＡＰ２の構成を説明する。無線ＬＡＮ基地局ＡＰ１においては、図３に示すように当該無線ＬＡＮ基地局ＡＰ１の各種機能を統括的に制御するＣＰＵ４０に対して、ＲＡＭ４２、ＲＯＭ４３、ネットワークインターフェース４４及び無線ＬＡＮ通信部４５がバス４１を介して接続されており、ＣＰＵ４０はＲＯＭ４３に展開し、展開したプログラムに基づいて、ネットワークインターフェース４４及び無線ＬＡＮ通信部４５を制御するようになされている。
【００２６】
そして無線ＬＡＮ通信部４５は、携帯無線端末ＭＴから送信された無線ＬＡＮの送信信号をアンテナ４６を介して受信した後復調して受信データを生成し、ネットワークインターフェース４４を介してインターネット４等に送出する。また無線ＬＡＮ通信部４５は、ネットワークインターフェース４４を介して入力したインターネット４等からのデータを変調し、アンテナ４６を介して送信する。
【００２７】
同様に広域無線基地局ＡＰ２においては、図４に示すように当該広域無線基地局ＡＰ２の各種機能を統括的に制御するＣＰＵ５０に対して、ＲＡＭ５２、ＲＯＭ５３、ネットワークインターフェース５４及び広域無線通信部５５がバス５１を介して接続されており、ＣＰＵ５０はＲＯＭ５３に展開し、展開したプログラムに基づいて、ネットワークインターフェース５４及び広域無線通信部５５を制御するようになされている。
【００２８】
そして広域無線通信部５５は、携帯無線端末ＭＴから送信された広域無線の送信信号をアンテナ５６を介して受信した後復調して受信データを生成し、ネットワークインターフェース５４を介してインターネット４等に送出する。また広域無線通信部５５は、ネットワークインターフェース５４を介して入力したインターネット４等からのデータを変調し、アンテナ５６を介して送信する。
【００２９】
（４）統合無線通信システムのシステム間ハンドオーバー処理
次に、統合無線通信システム１におけるシステム間ハンドオーバー処理を、図５に示すフローチャートを用いて詳細に説明する。この場合、無線ＬＡＮシステムＷＳ１から広域無線システムＷＳ２へのシステム間ハンドオーバーを例に示すが、逆の場合も同様の処理が行われる。
【００３０】
無線ＬＡＮシステムＷＳ１下で無線ＬＡＮ通信を行っている携帯無線端末ＭＴのＣＰＵ１０は、その通信制御プログラムＲＴ１のステップＳＰ１において、ユーザの操作等によって広域無線システムＷＳ２へのシステム間ハンドオーバー指示が入力されると、これに応じてシステム参入情報交信手段としての送受信部２０を制御し、システム間ハンドオーバー要求を無線ＬＡＮ基地局ＡＰ１に対し無線を介して送信する。この、システム参入情報としてのシステム間ハンドオーバー要求には、携帯無線端末ＭＴのＩＤや対応機能、広域無線システムＷＳ２に対して要求するサービスや伝送帯域等の各種通信サービス情報が含まれる。
【００３１】
無線ＬＡＮ基地局ＡＰ１のＣＰＵ４０は、その通信制御プログラムＲＴ２のステップＳＰ２１において、携帯無線端末ＭＴからのシステム間ハンドオーバー要求を受信すると、これに応じてシステム参入情報転送手段としての無線ＬＡＮ通信部４５及びネットワークインターフェース４４を制御し、当該システム間ハンドオーバー要求を広域無線基地局ＡＰ２に対しインターネット４を介して転送する。
【００３２】
広域無線基地局ＡＰ２のＣＰＵ５０は、その通信制御プログラムＲＴ３のステップＳＰ３１において、無線ＬＡＮ基地局ＡＰ１から転送された携帯無線端末ＭＴのシステム間ハンドオーバー要求をインターネット４を介して受信すると、次のステップＳＰ３２に移り、広域無線システムＷＳ２における空きチャネルや確保可能な伝送帯域に基づいて、携帯無線端末ＭＴのシステム間ハンドオーバーを受入れ可能か否かを判断する。
【００３３】
ステップＳＰ３２において否定結果が得られた場合、このことは携帯無線端末ＭＴのシステム間ハンドオーバーを受入れ不能であることを表しており、このとき広域無線基地局ＡＰ２のＣＰＵ５０はステップＳＰ３３に移り、携帯無線端末ＭＴに対するシステム参入情報としてのハンドオーバー不許可通知を、インターネット４を介して広域無線基地局ＡＰ２に送信する。
【００３４】
無線ＬＡＮ基地局ＡＰ１のＣＰＵ４０はステップＳＰ２２において、携帯無線端末ＭＴに対するハンドオーバー不許可通知をインターネット４を介して受信すると、これに応じてシステム参入情報転送手段としての無線ＬＡＮ通信部４５及びネットワークインターフェース４４を制御し、当該ハンドオーバー不許可通知をを無線通信端末ＭＴに対し無線を介して転送する。携帯無線端末ＭＴのＣＰＵ１０はステップＳＰ２において、広域無線基地局ＡＰ２からのハンドオーバー不許可通知を無線ＬＡＮ基地局ＡＰ１を介して受信すると、次のステップＳＰ３に移り、無線ＬＡＮシステムＷＳ１下で無線ＬＡＮ通信を継続する。
【００３５】
これに対してステップＳＰ３２において肯定結果が得られた場合、このことは携帯無線端末ＭＴのシステム間ハンドオーバーを受入れ可能であることを表しており、このとき広域無線基地局ＡＰ２のＣＰＵ５０はステップＳＰ３４に移り、携帯無線端末ＭＴに対するシステム参入情報としてのハンドオーバー許可通知及びアソシエーション情報を、インターネット４を介して無線ＬＡＮ基地局ＡＰ１に送信する。この、システム参入情報としてのアソシエーション情報には、広域無線システムＷＳ２で使用可能なチャネルやタイムスロット、確保可能な伝送帯域や通信サービス、通信開始後のＭＡＣアドレスやＩＤ、暗号化に用いる鍵情報等、広域無線システムＷＳ２に対するアソシエーションに必要な全ての情報が含まれる。
【００３６】
無線ＬＡＮ基地局ＡＰ１のＣＰＵ４０はステップＳＰ２３において、携帯無線端末ＭＴに対するハンドオーバー許可通知及びアソシエーション情報をインターネット４を介して受信すると、これに応じてシステム参入情報転送手段としての無線ＬＡＮ通信部４５及びネットワークインターフェース４４を制御し、当該ハンドオーバー許可通知及びアソシエーション情報を携帯無線端末ＭＴに対し無線を介して転送する。携帯無線端末ＭＴのＣＰＵ１０はステップＳＰ４において、広域無線基地局ＡＰ２からのハンドオーバー許可通知及びアソシエーション情報を無線ＬＡＮ基地局ＡＰ１を介して受信すると、当該アソシエーション情報をＲＡＭ１２に記憶し、次のステップＳＰ５に移る。
【００３７】
携帯無線端末ＭＴのＣＰＵ１０はステップＳＰ５において、広域無線通信プログラムがプログラムメモリ３１にロードされているか否かを判断する。ステップＳＰ５において肯定結果が得られた場合、ＣＰＵ１０はステップＳＰ７に移る。これに対してステップＳＰ５において否定結果が得られた場合、ＣＰＵ１０はステップＳＰ６に移り、ＤＳＰコアプロセッサ３０を制御し、広域無線通信プログラムをプログラムＲＯＭ２２から読み出してプログラムメモリ３１にロードした後、ステップＳＰ７に移る。
【００３８】
この状態においてプログラムメモリ３１には、現在実行中の無線ＬＡＮ通信プログラムとともに、システム間ハンドオーバー後に実行する広域無線通信プログラムがロードされている。
【００３９】
携帯無線端末ＭＴのＣＰＵ１０はステップＳＰ７において、無線ＬＡＮ基地局ＡＰ１に対して無線ＬＡＮ通信終了通知を送信し、次のステップＳＰ８に移る。そしてＣＰＵ１０はステップＳＰ８において、通信用ＤＳＰ２１を制御し、無線ＬＡＮ通信プログラムを終了させるとともに当該通信用ＤＳＰ２１のレジスタを初期化してステップＳＰ９に移る。
【００４０】
ステップＳＰ９においてＣＰＵ１０は、通信用ＤＳＰ２１に対しプログラムメモリ３１内における広域無線通信プログラムの開始アドレスを指定することにより当該広域無線通信プログラムを起動し、次のステップＳＰ９に移る。これにより、広域無線通信システムＷＳ２に対する携帯無線端末ＭＴの通信準備が完了する。
【００４１】
このように携帯無線端末ＭＴは、現在実行中の無線通信プログラムと、システム間ハンドオーバー後に実行する無線通信プログラムとをプログラムメモリにロードしておくことにより、プログラムの開始アドレスを変更するだけで即座に無線通信プログラムを切り換えることができる。なお携帯無線端末ＭＴのＣＰＵ１０は、ステップＳＰ８からステップＳＰ９にかけての無線通信プログラムの切換期間において、ＲＦ／ＩＦ制御部３４を介してＲＦ／ＩＦ部２４を制御して送信用アンプ及び受信用アンプの増幅動作を停止することにより、無線通信プログラム切換時の不要電波送信やデータエラーを防止する。
【００４２】
一方、無線ＬＡＮ基地局ＡＰ１のＣＰＵ４０はステップＳＰ２４において、携帯無線端末ＭＴからの無線ＬＡＮ通信終了通知を受信すると、これに応じて次のステップＳＰ２５に移る。ステップＳＰ２５においてＣＰＵ４０は、広域無線基地局ＡＰ２に対し無線ＬＡＮシステムＷＳ１から広域無線システムＷＳ２へのハンドオーバー開始通知をインターネット４を介して送信し、次のステップＳＰ２６で携帯無線端末ＭＴとの間の無線ＬＡＮ通信を終了する。
【００４３】
また、広域無線基地局ＡＰ２のＣＰＵ５０はステップＳＰ３５において、無線ＬＡＮ基地局ＡＰ１からのハンドオーバー開始通知を受信すると、次のステップＳＰ３６に移り、携帯無線端末ＭＴに対する送信開始許可を、無線を介して当該携帯無線端末ＭＴに直接送信する。
【００４４】
携帯無線端末ＭＴのＣＰＵ１０は、ステップＳＰ１０において広域無線基地局ＡＰ２からの送信開始許可を受信すると、次のステップＳＰ１１に移って当該送信開始許可に対するＡｃｋｎｏｗｌｅｇｅを広域無線基地局ＡＰ２に返信し、ステップＳＰ１２で広域無線基地局ＡＰ２との間で広域無線通信を開始する。
【００４５】
一方、広域無線基地局ＡＰ２のＣＰＵ５０はステップＳＰ３７において、携帯無線端末ＭＴからのＡｃｋｎｏｗｌｅｇｅを受信すると、これに応じてステップＳＰ３８で携帯無線端末ＭＴとの間で広域無線通信を開始する。
【００４６】
ここで携帯無線端末ＭＴにおいては、広域無線システムＷＳ２に対するアソシエーション情報が、ステップＳＰ４の時点ですでにＲＡＭ１２に記憶されている。このため携帯無線端末ＭＴは、記憶した当該アソシエーション情報に基づいて、送信開始許可及びＡｃｋｎｏｗｌｅｇｅの送受の後直ちに広域無線通信を開始することができる。
【００４７】
（５）携帯無線端末の複数システム待受受信処理
次に、携帯無線端末ＭＴの複数システム待受受信処理を、図６に示すフローチャートを用いて詳細に説明する。携帯無線端末ＭＴのＣＰＵ１０は、待受受信プログラムＲＴ４のステップＳＰ１において、ユーザにより設定された待受対象とする通信システム及び待受受信間隔を待受条件としてＲＡＭ１２に記憶し、次のステップＳＰ４２に移る。
【００４８】
ステップＳＰ４２においてＣＰＵ１０は、ＲＡＭ１２に記憶した待受条件を参照し、待受対象の通信システムに対応する無線通信プログラムが、プログラムメモリ３１にロードされているか否かを判断する。
【００４９】
ステップＳＰ４２において肯定結果が得られた場合、ＣＰＵ１０はステップＳＰ４４に移る。これに対してステップＳＰ４２において否定結果が得られた場合、ＣＰＵ１０はステップＳＰ４３において必要な無線通信プログラムをプログラムＲＯＭ２２から読み出してプログラムメモリ３１にロードした後、ステップＳＰ４４に移る。
【００５０】
ステップＳＰ４４においてＣＰＵ１０は、待受条件で設定された待受受信間隔を待受用タイマ（図示せず）にセットした後当該待受用タイマをスタートする。さらにＣＰＵ１０は、通信用ＤＳＰ２１に対しプログラムメモリ３１内における第１の無線通信プログラムの開始アドレスを指定することにより当該第１の無線通信プログラムを起動し、次のステップＳＰ４５に移る。これにより第１の無線通信システムに対する受信準備が完了する。
【００５１】
ステップＳＰ４５においてＣＰＵ１０は、待受条件で設定された待受受信間隔が経過したかを判断し、当該待受受信間隔が経過すると次のステップＳＰ４６に移る。ステップＳＰ４６においてＣＰＵ１０は通信用ＤＳＰ２１を制御し、第１の無線通信システムのページングに対する受信を開始してステップＳＰ４７に移る。
【００５２】
ステップＳＰ４７においてＣＰＵ１０は、第１の無線通信システムから自局に対する呼び出しの有無を判断する。ステップＳＰ４７において肯定結果が得られた場合、ＣＰＵ１０はステップＳＰ４８に移り、当該第１の無線通信システムとの通信を開始する。
【００５３】
これに対してステップＳＰ４７において否定結果が得られた場合、ＣＰＵ１０はステップＳＰ４９に移り、通信用ＤＳＰ２１に対しプログラムメモリ３１内における第２の無線通信プログラムの開始アドレスを指定して当該第２の無線通信プログラムを起動させ、次のステップＳＰ５０に移る。これにより第２の無線通信システムに対する受信準備が完了する。
【００５４】
ステップＳＰ５０においてＣＰＵ１０は、待受条件で設定された待受受信間隔が経過したかを判断し、当該待受受信間隔が経過すると次のステップＳＰ５１に移る。ステップＳＰ５１においてＣＰＵ１０は通信用ＤＳＰ２１を制御し、第２の無線通信システムのページングに対する受信を開始してステップＳＰ５２に移る。
【００５５】
ステップＳＰ５２においてＣＰＵ１０は、第２の無線通信システムから自局に対する呼び出しの有無を判断する。ステップＳＰ５２において肯定結果が得られた場合、ＣＰＵ１０はステップＳＰ５３に移り、当該第２の無線通信システムとの通信を開始する。これに対してステップＳＰ５２において否定結果が得られた場合、ＣＰＵ１０はステップＳＰ４４に戻り、再度ステップＳＰ４４〜ステップＳＰ５３を繰り返す。
【００５６】
このように携帯無線端末ＭＴは、待受受信時において、待受対象とする２つの通信システム双方の無線通信プログラムを同時にプログラムメモリにロードしておき、これらを間欠的に交互に実行することにより、プログラムのロードに要する時間を排除して、簡易かつ迅速に複数システムの待受受信を行うことができる。
【００５７】
（６）動作及び効果
以上の構成において、携帯無線端末ＭＴは、無線ＬＡＮシステムＷＳ１から広域無線システムＷＳ２へのシステム間ハンドオーバーを行う場合、システム間ハンドオーバー要求を無線ＬＡＮ基地局ＡＰ１に送信する。無線ＬＡＮ基地局ＡＰ１は、システム間ハンドオーバー要求をインターネット４を介して広域無線基地局ＡＰ２に転送する。
【００５８】
広域無線基地局ＡＰ２はシステム間ハンドオーバー要求に応じて、携帯無線端末ＭＴを受入れ可能な場合、当該携帯無線端末ＭＴに対するシステム間ハンドオーバー許可通知及びアソシエーション情報を、インターネット４を介して無線ＬＡＮ基地局ＡＰ１に送信する。無線ＬＡＮ基地局ＡＰ１は、システム間ハンドオーバー許可通知及びアソシエーション情報を携帯無線端末ＭＴに転送する。
【００５９】
そして携帯無線端末ＭＴは、システム間ハンドオーバー許可通知及びアソシエーション情報を受信すると、無線ＬＡＮ通信プログラムを終了するとともに広域無線通信プログラムを起動して、広域無線基地局ＡＰ２との通信を開始する。
【００６０】
このとき携帯無線端末ＭＴは、広域無線システムＷＳ２に対するアソシエーション情報を、無線ＬＡＮ基地局ＡＰ１経由で既に取得している。このため携帯無線端末ＭＴは、当該アソシエーション情報に基づいて即座に広域無線通信を開始することができる。
【００６１】
また携帯無線端末ＭＴは、現在実行中の無線通信プログラムと、システム間ハンドオーバー後に実行する無線通信プログラムとをプログラムメモリにロードしておくことにより、プログラムの開始アドレスを変更するだけで即座に無線通信プログラムを切り換えることができる。
【００６２】
同様に携帯無線端末ＭＴは待受受信時においても、待受対象とする２つの通信システム双方の無線通信プログラムをプログラムメモリにロードしておき、これらを交互に実行することにより、簡易かつ迅速に複数システムの待受受信を行うことができる。
【００６３】
以上の構成によれば、無線ＬＡＮシステムＷＳ１から広域無線システムＷＳ２へのシステム間ハンドオーバーの際に、携帯無線端末ＭＴと広域無線基地局ＡＰ２との間で、予め無線ＬＡＮシステムＷＳ１経由でハンドオーバー要求やそれに対する可否、アソシエーション情報等を交信しておくことにより、無線ＬＡＮシステムＷＳ１との通信切断後、直ちに広域無線システムＷＳ２に参入することができる。
【００６４】
また、複数の無線通信プログラムを同時にプログラムメモリにロードしておくことにより、システム間ハンドオーバーや複数システムの待受受信時において、プログラムの開始アドレスを変更するだけで即座に無線通信プログラムを切り換えることができる。
【００６５】
（７）他の実施の形態
なお上述の実施の形態においては、無線ＬＡＮシステムＷＳ１と広域無線システムＷＳ２との間におけるシステム間ハンドオーバーについて述べたが、本発明はこれに限らず、異なる２つの広域無線システム間におけるシステム間ハンドオーバーや、あるいは３つ以上の無線通信システム間のシステム間ハンドオーバー等、様々な条件のシステム間ハンドオーバーに本発明を適用してもよい。
【００６６】
また上述の実施の形態においては、無線ＬＡＮ基地局ＡＰ１と広域無線基地局ＡＰ２との間をインターネット４で接続し、当該インターネット４を介して当該アソシエーション情報を転送するようにしたが、本発明はこれに限らず、無線ＬＡＮ基地局ＡＰ１と広域無線基地局ＡＰ２との間を専用線や電話回線で接続し、これらを介してアソシエーション情報を転送してもよく、さらには、無線ＬＡＮ基地局ＡＰ１に広域無線システムＷＳ２の通信機能を設けておき、当該広域無線システムＷＳ２の無線波を介してアソシエーション情報を転送するようにしてもよい。
【００６７】
【発明の効果】
上述のように本発明によれば、第２の無線通信システムに参入するために必要なシステム参入情報を、第１の無線通信システムを介して第２の無線通信システムと交信することにより、実際に第２の無線通信システムと接続する以前に先行して接続処理を実行することができ、これにより迅速にシステム間ハンドオーバーを行うことができるとともに、システム間ハンドオーバー前後で用いる２つの無線通信プログラムをそれぞれ無線通信プログラム格納手段にロードしておき、システム間ハンドオーバー時においてディジタルシグナルプロセッサのプログラム開始アドレスを変更することで実行する無線通信プログラムを切り換えるようにしたことにより、通信プログラムの切り換え時間を短縮して迅速にシステム間ハンドオーバーを行うことができる。
【００６８】
また、システム間ハンドオーバー前後で用いる２つの無線通信プログラムをそれぞれ無線通信プログラム格納手段にロードしておき、システム間ハンドオーバー時においてディジタルシグナルプロセッサのプログラム開始アドレスを変更することで実行する無線通信プログラムを切り換えるようにしたことにより、通信プログラムの切り換え時間を短縮して迅速にシステム間ハンドオーバーを行うことができる。
【図面の簡単な説明】
【図１】本発明による統合無線通信システムの全体構成を示す略線図である。
【図２】携帯無線端末の構成を示すブロック図である。
【図３】無線ＬＡＮ基地局の構成を示すブロック図である。
【図４】広域無線基地局の構成を示すブロック図である。
【図５】システム間ハンドオーバー手順を示すフローチャートである。
【図６】複数システム待受受信処理手順を示すフローチャートである。
【符号の説明】
１……統合無線通信システム、ＡＰ１……無線ＬＡＮ基地局、ＡＰ２……広域無線基地局、ＭＴ……携帯無線端末、１０……ＣＰＵ、１１……バス、１２……ＲＡＭ、１３……ＲＯＭ、１４……操作部、１５……表示部、１６……マイクロホン、１７……スピーカ、１８……アンテナ、２０……送受信部、２１……通信用ＤＳＰ、２２……プログラムＲＯＭ、２３……プロトコルプロセッサ、２４……ＲＦ／ＩＦ部、３０……ＤＳＰコアプロセッサ、３１……プログラムメモリ、３２……ＤＳＰ周辺回路、３３……送信データＦＩＦＯ、３４……ＲＦ／ＩＦ制御部、３５……受信データＦＩＦＯ。
【図１】
0003900412.tif 000002
【図２】
0003900412.tif 000003
【図３】
0003900412.tif 000004
【図４】
0003900412.tif 000005
【図５】
0003900412.tif 000006
【図６】
0003900412.tif 000007